(57)【要約】【課題】耐久性および施工性の向上が図られる遮音性を有する遮音パネルを提供する。【解決手段】２枚の金属板１０の間に少なくとも二層の状態で不燃断熱性を有する芯材２０が挟まれるとともに、少なくとも、一方の金属板１０と芯材２０との間、もしくは二層の芯材２０の間に、遮音シート３０が挟まれた構造を有する。【選択図】図１
2015040379.tif 000002
【特許請求の範囲】
【請求項１】
２枚の金属板の間に少なくとも二層の状態で不燃断熱性を有する芯材が挟まれるとともに、少なくとも、一方の前記金属板と前記芯材との間、もしくは前記芯材と芯材との間に、遮音シートが挟まれていることを特徴とする遮音パネル。
【請求項２】
全体厚さが３０〜２５０ｍｍであることを特徴とする請求項１に記載の遮音パネル。
【請求項３】
前記金属板の厚さが０．２〜２．０ｍｍであることを特徴とする請求項１または２に記載の遮音パネル。
【請求項４】
前記遮音シートの厚さが０．５〜５．０ｍｍであることを特徴とする請求項１〜３のいずれかに記載の遮音パネル。
【発明の詳細な説明】
【技術分野】
【０００１】
本発明は、遮音性を有する遮音パネルに関する。
【背景技術】
【０００２】
例えば高速道路の側壁には遮音性が求められる場合があり、従来は主に複数のコンクリートパネルを道路に沿って施工して遮音性を有する側壁を設けている（特許文献１等）。
【先行技術文献】
【特許文献】
【０００３】
【特許文献１】特開２００６−１２４９７５号公報
【発明の概要】
【発明が解決しようとする課題】
【０００４】
しかし、コンクリートパネルは、例えば熱による収縮・膨張が生じたり、寒冷地では塩化カルシウム等の融雪剤が付着したりすることで、クラック等の損傷が生じる場合が多く、耐久性に問題がある。また、重量がかさむため施工性がよいとは言えず、施工者の負担も大きかった。
【０００５】
本発明は上記事情に鑑みてなされたものであって、その主な課題としては、耐久性および施工性の向上が図られる遮音性を有する遮音パネルを提供することにある。
【課題を解決するための手段】
【０００６】
本発明の遮音パネルは、２枚の金属板の間に少なくとも二層の状態で不燃断熱性を有する芯材が挟まれるとともに、少なくとも、一方の前記金属板と前記芯材との間、もしくは前記芯材と芯材との間に、遮音シートが挟まれていることを特徴とする。
【０００７】
本発明では、前記芯材が前記２枚の金属板の間に二層の状態で組み込まれており、該二層の芯材の間に遮音シートが挟まれている形態を含む。
【０００８】
本発明の遮音パネルは、全体厚さが３０〜２５０ｍｍであることを特徴とする。また、前記金属板の厚さが０．２〜２．０ｍｍであること、さらには、前記遮音シートの厚さが０．５〜５．０ｍｍであることを特徴とする。
【発明の効果】
【０００９】
本発明によれば、耐久性および施工性の向上が図られる遮音性を有する遮音パネルが提供されるといった効果を奏する。
【図面の簡単な説明】
【００１０】
【図１】本発明の第１実施形態に係る遮音パネルの一部断面図である。
【図２】本発明の第２実施形態に係る遮音パネルの一部断面図である。
【図３】本発明の第３実施形態に係る遮音パネルの一部断面図である。
【図４】本発明の第４実施形態に係る遮音パネルの一部断面図である。
【発明を実施するための形態】
【００１１】
図面を参照して本発明の実施形態に係る遮音パネルを説明する。
本発明の遮音パネルは、２枚の金属板の間に少なくとも二層の状態で不燃断熱性を有する芯材が挟まれるとともに、少なくとも、一方の金属板と芯材との間、もしくは芯材と芯材との間に、遮音シートが挟まれている構成を必須としている。以下、本発明の実施形態の遮音パネルのパターンを挙げる。
【００１２】
（１）第１実施形態：片側遮音シート
図１に示す第１実施形態の遮音パネル１は、２枚の金属板１０の間に不燃断熱性を有する芯材２０が二層の状態で挟まれるとともに、片側（図１で上側）の金属板１０と芯材２０との間に遮音シート３０が挟まれた構成を有している。
【００１３】
（２）第２実施形態：両側遮音シート
図２に示す第２実施形態の遮音パネル２は、２枚の金属板１０の間に不燃断熱性を有する芯材２０が二層の状態で挟まれるとともに、両側の金属板１０と芯材２０との間に遮音シート３０が挟まれた構成を有している。
【００１４】
（３）第３実施形態：中央遮音シート
図３に示す第３実施形態の遮音パネル３は、２枚の金属板１０の間に不燃断熱性を有する芯材２０が二層の状態で挟まれるとともに、二層の芯材２０の間に遮音シート３０が挟まれた構成を有している。
【００１５】
（４）第４実施形態：中央と両側遮音シート
図４に示す第４実施形態の遮音パネル４は、２枚の金属板１０の間に不燃断熱性を有する芯材２０が二層の状態で挟まれるとともに、両側の金属板１０と芯材２０との間、および二層の芯材２０の間に遮音シート３０が挟まれた構成を有している。
【００１６】
上記各実施形態の遮音パネル１〜４は、全体厚さが３０〜２５０ｍｍ程度、金属板１０の厚さは０．２〜２．０ｍｍ程度、遮音シート３０の厚さは０．５〜５．０ｍｍ程度とされる。
【００１７】
金属板１０は、カラー鋼板、フッ素鋼板、塩ビ鋼板、ＳＵＳ等のステンレス板等が用いられる。芯材２０は、不燃性および断熱性を備えた無機系繊維等からなるパネル状のものが用いられ、例えば製鉄プロセスで得られるガラス状の鉄炉スラグに石灰等を混合して高温で溶解し生成されるパネル状のロックウール、あるいはパネル状のグラスウール等の無機系人造繊維が好適に用いられる。遮音シート３０は、塩化ビニルや非加硫ゴム等をシート状に加工した遮音性を有するシートが好適に用いられる。
【００１８】
遮音パネル１〜４は、二層の芯材２０を接着剤で接着した後、この二層の芯材２０の両面に金属板１０を接着して金属サンドイッチパネルを製造するという基本的な製造方法を応用して、遮音シート３０を必要な箇所に接着して製造される。
【００１９】
例えば、第１実施形態の遮音パネル１を製造するには、二層の芯材２０を接着剤で接着した後、一方の芯材２０の表面に遮音シート３０を接着してから、両側に金属板１０を接着する。また、第４実施形態の遮音パネル４を製造するには、一層の芯材２０の片面に遮音シート３０を接着した後、この遮音シート３０にもう一層の芯材２０を接着し、次いで両方の芯材２０の表面に遮音シート３０をそれぞれ接着してから、これら遮音シート３０に金属板１０をそれぞれ接着するといった製法となる。
【００２０】
上記各実施形態の遮音パネル１〜４は、遮音性を有する壁材として好適に用いることができる。例えば周辺環境に騒音低減が求められる高速道路や一般道路の側壁、音漏れのしにくい部屋を構築する上でのカラオケボックスや音楽スタジオ等の部屋の壁材、騒音低減が求められるクリーンルームの壁材等に用いられる。遮音パネルとして用いる場合、第１実施形態のように片側のみに遮音シート３０が配設されているものは、遮音シート３０側が音源の発生する側に配されるように施工される。
【００２１】
上記各実施形態の遮音パネル１〜４によれば、従来のコンクリートパネルのように熱による収縮・膨張や融雪剤の付着等によってクラック等の損傷が生じることが抑えられ、高い耐久性を発揮する。また、比較的軽量であるため施工性が向上し、施工者の負担が軽減するという利点もある。また、遮音性のみならず不燃断熱性も備えているため、そのような性能が要求される箇所へも施工することができる。
【実施例】
【００２２】
次に、本発明の実施例を提示して本発明の効果を実証する。
以下の試料を製造して「ＪＩＳ Ａ １４１６」に準ずる音響透過損失試験を行った。なお、金属板は全て厚さ０．６ｍｍのカラー鋼板を共通のものとして用い、また、不燃断熱性を有する芯材は一層が厚さ２５ｍｍのパネル状のロックウールを共通のものとして用いた。
【００２３】
［実施例１］
図１に示した第１実施形態の構造を有する遮音パネルを、遮音シートとして厚さ２．８ｍｍの非加硫ゴムを用いて製造し、遮音シート側に音源を配して試験を行った。
【００２４】
［実施例２］
図２に示した第２実施形態の構造を有する遮音パネルを、遮音シートとして厚さ１ｍｍの塩化ビニル基材を用いて製造して試験を行った。
【００２５】
［実施例３］
図３に示した第３実施形態の構造を有する遮音パネルを、遮音シートとして厚さ１．５ｍｍのアスファルト基材を用いて製造して試験を行った。
【００２６】
［実施例４］
図４に示した第４実施形態の構造を有する遮音パネルを、遮音シートとして厚さ１ｍｍの塩化ビニル基材を用いて製造して試験を行った。
【００２７】
［比較例］
遮音シートを挟まず、二層の不燃断熱性を有する芯材（ロックウール）を金属板（カラー鋼板）で挟んだ金属サンドイッチパネルを製造して試験を行った。
【００２８】
上記実施例１〜４および比較例の試験結果を、表１に示す。当該音響透過損失試験は、音源と音響測定箇所の間に遮音パネルを配置し、４００Ｈｚの音響発生時に２５ｄＢ以上の損失があった場合、および１０００Ｈｚの音響発生時に３０ｄＢ以上の損失があった場合を○、遮音性が不足した場合を×として評価するものである。表１に示す通り、本発明の実施例１〜４はいずれも遮音性有りと評価されるのに対し、比較例は１０００Ｈｚの音響発生時において３０ｄＢ以上の損失は認められ、本発明の効果が実証された。
【００２９】
【表１】
2015040379.tif 000003
【符号の説明】
【００３０】
１〜４…遮音パネル
１０…金属板
２０…芯材
３０…遮音シート
【図１】
2015040379.tif 000004
【図２】
2015040379.tif 000005
【図３】
2015040379.tif 000006
【図４】
2015040379.tif 000007